(57)【要約】【目的】  ベッドの位置にかかわらず、床頭台等の収納装置の収納部上面に設けた薄型テレビとタイマー装置との向きを自在に変更できるようにする。【構成】  薄型テレビ６を有料としてタイマー制御するタイマー装置７を収納部１上面近傍で左右に回動自在に支持し、収納部１背面中央かつ収納部より上方に第一回動軸２１を垂設固定し、該第一回動軸２１の上端に、タイマー装置７上面近傍を水平移動するアーム２２を取り付け、該アーム２２の先端に第二回動軸２６を垂下固定し、該第二回動軸２６に薄型テレビ６を取り付け、前記薄型テレビ６を収納部１上面にて回動自在に支持する共に、該アーム２２長さを、前記薄型テレビ６を所定位置にすることにより、前記タイマー装置７を回動しても薄型テレビ６と干渉しない長さとした収納装置。【選択図】  図１
2005198923.tif 000002
【特許請求の範囲】
【請求項１】
箱形形状の収納部と、該収納部上方に設けられた薄型テレビ及び該テレビを有料でタイマー制御する箱形形状のタイマー装置とで構成される収納装置であって、
前記収納部の横幅は、前記タイマー装置の奥行き寸法の略２倍であり、
前記タイマー装置の後部中央は、前記収納部背面側中央かつ収納部より上方に設けられた支軸に、収納部上面に沿って左右に１８０度水平回動可能に取り付けられ、
前記薄型テレビは、前記収納部背面中央かつ収納部より上方に設けられた第一回動軸と、一端が該第一回動軸の上端に取り付けられ、前記タイマー装置上面近傍に沿って水平移動するアームと、該アームの他端に下方に向かって垂設された第二回動軸とで構成された薄型テレビ移動支持装置における前記第二回動軸に並設され、
前記アームは、前記薄型テレビが所定位置にあるとき、少なくとも前記タイマー装置が前記薄型テレビに干渉することなく水平回動可能である長さを有していることを特徴とする収納装置。
【請求項２】
前記タイマー装置は、保持手段により、その前面が収納装置の左右いずれかの位置で保持されることを特徴とする請求項１記載の収納装置。
【請求項３】
前記第一、第二回動軸は、適宜位置にて保持されるようブレーキ機構を有していることを特徴とする請求項１または２記載の収納装置。
【発明の詳細な説明】
【技術分野】
【０００１】
本発明は、箱形の収納部上面に、液晶テレビ等の薄型テレビ及び該テレビを有料でタイマー制御するためのタイマー装置を載置するようにした、病院のベッドサイドに置かれる床頭台等の収納装置に関するものである。
【背景技術】
【０００２】
従来より、床頭台等の上部スペースに薄型テレビを載置し、かつ上部スペースを有効活用できるようにしたものが、下記特許文献１及び２に記載されている。
【特許文献１】特開２００３−０２１１３３号公報
【特許文献２】特開平１１−２７６５３０号公報
【発明の開示】
【発明が解決しようとする課題】
【０００３】
しかしながら、床頭台に載置されるテレビは、その殆どが硬貨やプリペイドカードなどを使用して、その対価に見合った時間だけ見られるようタイマー装置で制御されている。  前記特許文献１に記載された装置では、タイマー装置を搭載することが前提になっておらず、前記した殆どの病院で使用する場合には、別途タイマー装置を載置する台が必要であったり、収納部のいずれかに搭載できるよう改造する必要があるものである。
また、前記特許文献２に記載された装置では、確かにタイマー装置を収納部の最上部に設けてあるが、これではベッドが置かれている方向に床頭台自体を向ける必要があり、一度その方向にセットしてしまうと、患者の状態や希望、又はベッドの載置状態等の理由により、逆の方向に向ける必要が生じた場合、この装置では、床頭台自体を回転させなければならず、ベッドとベッドの間隔が狭い場合には、コンセントを抜き、床頭台を一旦そのベッド間より引き出し、方向を変え、コンセントをさし、又所定位置に戻さなければならず面倒である。
【課題を解決するための手段】
【０００４】
このような課題を解決するために本発明は、箱形形状の収納部と、該収納部上方に設けられた薄型テレビ及び該テレビを有料でタイマー制御する箱形形状のタイマー装置とで構成される収納装置であって、
前記収納部の横幅は、前記タイマー装置の奥行き寸法の略２倍であり、
前記タイマー装置の後部中央は、前記収納部背面側中央かつ収納部より上方に設けられた支軸に、収納部上面に沿って左右に１８０度水平回動可能に取り付けられ、
前記薄型テレビは、前記収納部背面中央かつ収納部より上方に設けられた第一回動軸と、一端が該第一回動軸の上端に取り付けられ、前記タイマー装置上面近傍に沿って水平移動するアームと、該アームの他端に下方に向かって垂設された第二回動軸とで構成された薄型テレビ移動支持装置における前記第二回動軸に並設され、
前記アームは、前記薄型テレビが所定位置にあるとき、少なくとも前記タイマー装置が前記薄型テレビに干渉することなく水平回動可能である長さを有している収納装置を提供することを要旨とするものである。
【０００５】
また、前記タイマー装置は、保持手段により、その前面が収納装置の左右いずれかの位置で保持されるようにするとより好ましい実施態様となる。
【０００６】
また、前記第一、第二回動軸は、適宜位置にて保持されるようブレーキ機構を有するようにするとより好ましい実施態様となる。
【発明の効果】
【０００７】
本発明の装置は以上のように構成されるので、タイマー装置を収納部背面上部に位置させ、さらに、薄型テレビを収納部上面で水平移動自在としたので、収納部上面スペースが有効に活用できる。また、ベッドが収納装置に対し、左右どちらに位置していても、薄型テレビ及びタイマー装置を簡単に必要な方向に向けることが可能であり、煩わしい収納装置の移動が必要ない。
【実施例】
【０００８】
以下、図面を用いて本発明の一実施例について説明する。図１は本発明の全体構成図であり、本体下部は箱形に形成された収納部１となっており、その上部は前面に引き出し可能な引き出し２で、その下部は前面に開放可能な扉３を設けた容量の大きなボックスで構成されている。収納部１背面には２本の支柱４、５が螺着されており、それら支柱４、５の上端は前方に向かって折り曲げられ、図示しない上部収納ボックスが取り付けられるようになっている。そして、収納部１上面には薄型テレビ６及び、その薄型テレビを有料でタイマー制御するタイマー装置７が設けてある。
【０００９】
薄型テレビ６は、図２に示すように、支柱４、５間に張設した梁８、９の中央に溶接用ブラケット１０、１１を介して溶接された薄型テレビ移動支持装置１２（詳細は後述）のテレビ取付用ブラケット１３に背面より螺着されるものであり、タイマー装置７は、やはり梁８、９の中央に固定された支軸１６、１７により、タイマー装置７後部中央を中心として収納部１上面を左右１８０度回動できるよう支承されている。また、タイマー装置７は、その奥行き寸法が収納部１の幅のほぼ１／２であり、さらに、図１に示すように、タイマー装置７の両側面前方下側には保持手段たるマグネット２７が取り付けてあり、左右いずれかに回動した時、いずれかのマグネット２７が支柱４、５のいずれかと磁着するようになっており、左右どちら側に回動した場合であっても、タイマー装置７の正面がほぼ収納装置側面と一致して保持されるため、収納装置より出っ張って邪魔になったりせず、丁度使いやすい状態にセットできるようになっている。
【００１０】
薄型テレビ移動支持装置１２は、図３及び図４に示すように、溶接用ブラケット１０、１１に溶接されたパイプ１８と、パイプ１８内に回動自在に、かつ、圧縮ばね１９の付勢力によるブレーキ機構が働き適宜位置で保持されるよう挿設された回転軸２０とからなる第一回動軸２１、回動軸２０の上端に一体的、かつ、水平に設けられたアーム２２、アーム２２先端に垂下され、パイプ２３内に回動自在に、かつ、圧縮ばね２４の付勢力によるブレーキ機構が働き適宜位置で保持されるよう挿設された回転軸２５とからなる第二回動軸２６、パイプ２３に溶接されたテレビ取付用ブラケット１３で構成されている。
【００１１】
図５は薄型テレビ６及びタイマー装置７を取り付けた状態で背面から見た図である。薄型テレビ６は第二回動軸２６にテレビ取付用ブラケット１３を介して取り付けられ、さらに背面カバー２８を取り付けた状態として完成となる。そして本図に示すように、アーム２２はタイマー装置７上方近傍で水平回動できるようになっている。
【００１２】
図６は平面図で、タイマー装置７を回動して、左右の入れ替えを行う場合の状態を示す図である。その手順は、薄型テレビ６を所定位置に移動した後、タイマー装置７を反対方向に向け磁着し、薄型テレビ６をタイマー装置７の向きに合わせ移動させるだけである。
【図面の簡単な説明】
【００１３】
【図１】本発明の一実施例である収納装置の全体構成図である。
【図２】同装置に薄型テレビ及びタイマー装置を取り付ける前の状態を示す背面図である。
【図３】同装置における薄型テレビ移動支持装置の部分断面図である。
【図４】薄型テレビ移動支持装置におけるＡ部の拡大断面図である。
【図５】同装置に薄型テレビ及びタイマー装置を取り付けた状態を示す説明図である。
【図６】同装置における薄型テレビ及びタイマー装置装置の移動状態を示す平面図である。
【符号の説明】
【００１４】
１        収納部
６        薄型テレビ
７        タイマー装置
１２        薄型テレビ移動支持装置
１６、１７  支軸
１９、２４  圧縮ばね
２１        第一回動軸
２２        アーム
２６        第二回動軸
２７        マグネット
【図１】
2005198923.tif 000003
【図２】
2005198923.tif 000004
【図３】
2005198923.tif 000005
【図４】
2005198923.tif 000006
【図５】
2005198923.tif 000007
【図６】
2005198923.tif 000008